(57)【要約】 【課題】ケース蓋とケース本体とが一体に形成されたケースが採用される場合であっても、容易かつ確実に組み立てることができるクラスプを提供する。【解決手段】係止凹部２５が形成された挿し込み部材２０と、挿し込み部材２０が挿脱可能なクラスプ本体３０と、を有する、アクセサリに用いることができるクラスプ１０であって、クラスプ本体３０は、挿し込み部材２０の挿脱が可能な受入れ部材４０と、挿し込み部材２０に形成された係止凹部２５に係脱可能な係止部５１ｃを備えかつ外部に突出する係脱押釦５２を備えた係止部材５０と、係止部５１ｃを常時係止凹部２５に係止する方向に付勢する付勢部材６０と、受入れ部材４０、係止部材５０、付勢部材６０を収容するためのケース７０と、受入れ部材４０と係脱押釦５２との間に配置された座部８０と、を有し、付勢部材６０は、座部８０と係脱押釦５２との間に配設され、係脱押釦５２は、付勢部材６０を収容するために中空状に形成される。
2016035186.tif 000002
【特許請求の範囲】
【請求項１】
係止凹部が形成された挿し込み部材と、前記挿し込み部材が挿脱可能なクラスプ本体と、を有する、アクセサリに用いることができるクラスプであって、
前記クラスプ本体は、前記挿し込み部材の挿脱が可能な受入れ部材と、前記挿し込み部材に形成された前記係止凹部に係脱可能な係止部を備えかつ外部に突出する係脱押釦を備えた係止部材と、前記係止部を常時前記係止凹部に係止する方向に付勢する付勢部材と、前記受入れ部材、前記係止部材、前記付勢部材を収容するためのケースと、前記受入れ部材と前記係脱押釦との間に配置された座部と、を有し、
前記付勢部材は、前記座部と前記係脱押釦との間に配設され、
前記係脱押釦は、前記付勢部材を収容するために中空状に形成されることを特徴とするクラスプ。
【請求項２】
前記座部は、前記係止部材が前記係止する方向に沿って摺動自在に挿通された開口部を備えることを特徴とする請求項１記載のクラスプ。
【請求項３】
前記座部は、前記ケースと一体として形成されることを特徴とする請求項１または請求項２に記載のクラスプ。
【請求項４】
前記受入れ部材は、側壁部の一部を切り欠いて形成されかつ前記座部が入り込む切り欠き部を有することを特徴とする請求項１〜請求項３のいずれか１項に記載のクラスプ。
【請求項５】
前記受入れ部材は、軸方向の一端側に前記係止具が挿入される挿入口を有する筒部と、前記筒部の他端側の端部から軸方向に延設された一対の片部とを備え、前記一対の片部は、一側面側に切欠き部を有しかつ他側面に前記付勢部材の付勢力により前記係止部に当接する当接部を備えることを特徴とする請求項４に記載のクラスプ。
【請求項６】
請求項１〜請求項５のいずれか１項に記載のクラスプを有するアクセサリ。
【発明の詳細な説明】
【技術分野】
【０００１】
本発明は、アクセサリ用クラスプに関する。
【背景技術】
【０００２】
ネックレスやブレスレットなどの環状アクセサリに用いられるクラスプとしては、係止凹部が形成された挿し込み部材と、係止凹部に係脱可能な係止部を備えたクラスプ本体とを有する構成のものがある。【０００３】
このようなクラスプ本体としては、本出願の発明者は、係止具に形成された係止溝に係脱可能な係止部を備え、かつ、外部に突出する係脱押釦を備えた係止部材と、この係止部材の係止部を常時係止溝に係止する方向に弾性力で付勢するコイルバネと、係止部材の係止部が内部に突出するような切欠を備え、かつ、係止具の挿脱が可能な受入れ部材と、係止部材、コイルバネ、及び受入れ部材を収容するためのケースと、から構成される留め金具本体を提案している（特許文献１）。
【先行技術文献】
【特許文献】
【０００４】
【特許文献１】特許公報第３２５００９１号公報
【発明の開示】
【発明が解決しようとする課題】
【０００５】
ところで、このような留め金具本体の組み立ては、先ず、コイルバネを係止部材の係脱押釦内部に挿入する。次いで、コイルバネを圧縮させて、コイルバネと係止部との間に受入れ部材を挿通させる。続いて、コイルバネの弾性力により、係止部材の係止部を受入れ部材の切欠に篏合させて受け入れ部材内部に突出させる。最後に、一体となった上記部材をケース本体に嵌着させ、ケース蓋をケース本体と篏合させるといった手順で容易に行うことができる。【０００６】
しかしながら、クラスプ本体のデザインが多様化するに伴い、ケースとしては、上記したようにケース蓋とケース本体とがそれぞれ別個に形成されるものに代えて、ケース蓋とケース本体とが一体に形成された構成のものが採用される場合が多くなっている。このような一体形成されたケースが用いられる場合、留め金具本体の組立手順は、先ず、ケースにコイルバネ及び係止部材を配置し、次いで、受入れ部材をケースに挿入し、ケースの内部において、コイルバネと係止部との間に受入れ部材を挿通させるといった手順で行わざるを得ない。この場合、受入れ部材の挿通は、コイルバネ及び係止部を把持しながら行うことができず、かつ目視しながら行うこともできない。そのため、クラスプの組み立てを容易かつ確実に行うことができないといった課題を有している。【０００７】
本発明は、上記の点に鑑みてなされたもので、ケース蓋とケース本体とが一体に形成されたケースが採用される場合であっても、容易かつ確実に組み立てることができるクラスプを提供することを目的とする。
【課題を解決するための手段】
【０００８】
上記目的を達成するために、本発明では、係止凹部が形成された挿し込み部材と、挿し込み部材が挿脱可能なクラスプ本体と、を有する、アクセサリに用いることができるクラスプであって、クラスプ本体は、挿し込み部材の挿脱が可能な受入れ部材と、挿し込み部材に形成された係止凹部に係脱可能な係止部を備えかつ外部に突出する係脱押釦を備えた係止部材と、係止部を常時係止凹部に係止する方向に付勢する付勢部材と、受入れ部材、係止部材、付勢部材を収容するためのケースと、受入れ部材と係脱押釦との間に配置された座部と、を有し、付勢部材は、座部と係脱押釦との間に配設され、係脱押釦は、付勢部材を収容するために中空状に形成されるクラスプが提供される。【０００９】
また、本発明では、座部は、係止する方向に沿って摺動自在に係止部材が挿通された開口部を備える。このような構成によれば、係止部材は、係止する方向に移動する際に、側部が開口部に当接してガイドされるので、係止部材の移動方向のブレが抑制される。これにより、係止部の係脱をより確実に行うことができる。  【００１０】
また、本発明では、座部は、ケースと一体として形成される。このような構成によれば、座部を形成する部材をケースとは別に用意する必要がないので、アクセサリ用クラスプの部品点数の増加を回避し、製造コストの上昇を抑制することができる。【００１１】
また、本発明では、受入れ部材は、側壁部の一部を切り欠いて形成されかつ座部が入り込む切り欠き部を有する。このような構成によれば、座部は切り欠き部に入り込むので、クラスプ本体の外形が大きくなることが抑制される。よって、座部が設けられてクラスプの外形デザインの自由度に制約が生じることを回避することができる。【００１２】
また、本発明では、受入れ部材は、軸方向の一端側に係止具が挿入される挿入口を有する筒部と、筒部の他端側の端部から軸方向に延設された一対の片部とを備え、一対の片部は、一側面側に切欠き部を有しかつ他側面に付勢部材の付勢力により係止部に当接する当接部を備える。このような構成によれば、筒部に一対の片部を延設するだけで、切欠き部及び当接部を容易かつ確実に形成することができる。【００１３】
また、本発明では、上記したクラスプがアクセサリの態様で提供される。このような構成によれば、容易かつ確実に組み立てることができ、かつ着脱容易なアクセサリを提供することができる。
【発明の効果】
【００１４】
本発明によれば、座部を有することにより、クラスプの組み立ての際に付勢部材が収容された係脱押釦を押圧すると、付勢部材と係止部との間にはスペースが形成される。そのため、このスペースを介して受入れ部材を付勢部材と係止部との間に挿通させることができ、クラスプの構成部材の組み立てを容易かつ確実に行うことができる。
【図面の簡単な説明】
【００１５】
【図１】第１実施形態に係るクラスプの一例を示し、（ａ）は平面図、（ｂ）は要部の（ａ）のＡ−Ａ線に沿った断面図である。
【図２】図１のクラスプの受け入れ部材を示し、（ａ）は側面図、（ｂ）は正面図である。
【図３】図１のクラスプの係止部材を示し、（ａ）は正面図、（ｂ）は（ａ）のＢ−Ｂ線に沿った断面図である。
【図４】図１のクラスプのケースを示し、（ａ）は平面図、（ｂ）は（ａ）のＣ−Ｃ線に沿った断面図である。
【図５】図１のクラスプにおいて挿し込み部材がクラスプ本体と連結された状態を示し、図１（ａ）のＤ−Ｄ線に相当する線に沿った断面図である。
【図６】図１のクラスプ本体の組立手順の一例を示し、（ａ）は係止部材が係脱押釦の内部に収容される状態を示す斜視図、（ｂ）はケースに係止部材が嵌入された状態を示す概略断面図、（ｃ）はケースに受入れ部材が挿入される状態を示す概略断面図である。
【図７】第２実施形態のクラスプ本体の一例を示す概略断面図である。
【図８】図７の受け入れ部材を示し、（ａ）は側面図、（ｂ）は正面図、（ｃ）は挿し込み部材が挿入された状態の側面図である。
【図９】図７のケースを示し、（ａ）は平面図、（ｂ）は正面図である。
【図１０】第３実施形態のクラスプ本体の一例を示し、（ａ）は概略断面図、（ｂ）は要部の斜視図である。
【図１１】第４実施形態のクラスプ本体の一例を示し、（ａ）は概略断面図、（ｂ）は要部の分解斜視図である。
【図１２】第５実施形態に係るアクセサリの一例を示す要部側面図である。
【発明を実施するための形態】
【００１６】
以下、本発明の実施形態について図面を参照しながら説明する。ただし、本発明はこれに限定されるものではない。また、以下の実施形態を説明するため、図面においては一部分を大きくまたは強調して記載するなど適宜縮尺を変更して表現している。以下の各図については、ＸＹＺ座標系を用いて図中の方向を説明する。このＸＹＺ座標系においては、クラスプ本体に対する挿し込み部材の挿脱方向をＸ方向とし、係止部が係止凹部に対して係止する方向をＹ方向と表記する。また、Ｘ方向及びＹ方向に垂直な方向をＺ方向と表記する。Ｘ方向、Ｙ方向、及びＺ方向のそれぞれは、図中の矢印の方向が＋方向であり、矢印の方向とは反対の方向が−方向であるものとして説明する。
【００１７】
＜第１実施形態＞
本発明に係る第１実施形態について、図面を用いて説明する。図１は、第１実施形態に係るクラスプの一例を示し、（ａ）は平面図、（ｂ）は要部の（ａ）のＡ−Ａ線に沿った断面図である。図１に示すように、クラスプ１０は、挿し込み部材２０とクラスプ本体３０とを有する。クラスプ１０は、例えば、ネックレスやブレスレットなどの環状アクセサリに用いられる。挿し込み部材２０とクラスプ本体３０とは、互いに挿脱可能、かつ連結及び連結の解除が可能となっている。
【００１８】
挿し込み部材２０は、図１（ａ）に示すように、Ｘ方向に延びる棒形状の部材である。挿し込み部材２０は、先端側（＋Ｘ側）から基端側（−Ｘ側）にかけて、先端部２１と、ポール部２２と、フランジ部２３と、取り付け環２４とを有する。これらは、挿し込み部材２０において一体で形成される。なお、挿し込み部材２０は一体で形成されることに限定されず、例えば複数の部材を組み合わせることにより形成されてもよい。
【００１９】
先端部２１は、挿し込み部材２０の先端側（＋Ｘ側）に配置される。先端部２１は、挿入方向（Ｘ方向）に直交する方向（ＹＺ方向）の断面が円形状に形成される。また、先端部２１は、先端側から基端側にかけて断面積が除々に大きくなるように形成される。
【００２０】
ポール部２２は、先端部２１の基端側（−Ｘ側）かつフランジ部２３の先端側（＋Ｘ側）に配置される。ポール部２２は、Ｘ方向に沿った軸を有する円柱形状の部材である。ポール部２２の表面には、係止凹部２５が設けられる。係止凹部２５は、後述する係止部５１ｃが係脱可能に形成される部分である。係止凹部２５は、円周に沿った溝状に形成される。
【００２１】
フランジ部２３は、ポール部２２の基端側（−Ｘ側）かつ取り付け環２４の先端側（＋Ｘ側）に配置される。フランジ部２３のＹＺ平面と平行な断面は、円形状かつＸ方向から見てポール部２２の断面を含むように形成される。
【００２２】
取り付け環２４は、挿し込み部材２０の基端側（−Ｘ側）に配置される。取り付け環２４は、挿し込み部材２０を真珠やチェーンなどが連接して構成される装飾部２（図１２参照）に接続するための部材である。取り付け環２４は、円環状に形成され、かつフランジ部２３の基端側の端面の中央部分に突設される。取り付け環２４は、例えば、装飾部２の端部に接続された円環部材３（図１２参照）と連結される。
【００２３】
挿し込み部材２０としては、上記した構成に限定されない。例えば、先端部２１、ポール部２２、及びフランジ部２３の全部または一部については、ＹＺ平面に平行な断面は、円形状に限定されず、多角形状や、円弧部分及び直線部分を有する形状などであってもよい。また、係止凹部２５は、ポール部２２の外周面に沿って形成される溝状に限定されず、円周に沿って不連続に形成される孔状であってもよい。
【００２４】
クラスプ本体３０は、図１（ｂ）に示すように、受入れ部材４０と、係止部材５０と、付勢部材６０と、ケース７０と、座部８０と、取り付け環９０とを有する。
【００２５】
受け入れ部材４０は、挿し込み部材２０が挿脱可能に形成される部材である。受け入れ部材４０は、ケース７０の内部に収容され、ケース７０の挿入孔７１に接続するように配置される。図２は、受け入れ部材４０を示し、（ａ）は側面図、（ｂ）は正面図である。受け入れ部材４０は、図２に示すように、＋Ｘ側から−Ｘ側にかけて、接着部４１と、側壁４２と、挿入口４３とを有する。
【００２６】
接着部４１は、側壁部４２の＋Ｘ側に配置される。接着部４１は、ケース７０の内側面に接着剤を介して接着される部分である。なお、接着部４１とケース７０との接着において接着剤を用いるか否かは任意である。接着部４１は、Ｘ軸に直交する方向に沿った断面が＋Ｘ側から−Ｘ側にかけて徐々に大きくなるように形成される。接着部４１の表面には、溝部４１ａが設けられる。溝部４１ａは、Ｘ方向から見てＵ字状に形成される。接着部４１に溝部４１ａが設けられることにより、溝部４１ａに接着剤が入り込むので、接着部４１と接着剤との接着強度を向上させ、ひいてはケース７０との受け入れ部材４０との接着強度を向上させることができる。なお、溝部４１ａは、上記構成に限定されず、例えば接着部４１の外周に沿って形成されてもよく、孔状に形成されてもよい。
【００２７】
側壁部４２は、接着部４１の−Ｘ側かつ挿入口４３の＋Ｘ側に配置される。側壁部４２は、筒状に形成され、軸方向がＸ方向に沿って配置される。側壁部４２は、先端部２１及びポール部２２を収容する部材である。側壁部４２の＋Ｙ側の側面には、接着部４１から−Ｘ側に形成されかつＸＺ平面に対して平行な平坦面４２ａが形成される。なお、側壁部４２において平坦面４２ａは形成されなくてもよく、平坦面４２ａに代えて曲面や凹凸面が形成されてもよい。また、側壁部４２の＋Ｚ側及び−Ｚ側の側面には、接着部４１から−Ｘ側に形成されかつＸＹ平面に対して平行な平坦面４２ｂが形成される。側壁部４２の−Ｙ側の側面には、切欠４２ｃが設けられる。切欠４２ｃは、後述する係止部材５０の係止部５１ｃが受け入れ部材４０の内部に＋Ｙ方向に突出可能に形成される。
【００２８】
挿入口４３は、側壁部４２の−Ｘ側に配置される。また、挿入口４３は、クラスプ本体３０において−Ｘ側端部に設けられ、挿し込み部材２０が挿脱可能に形成される。挿入口４３のＹＺ平面に沿った断面は円形状となっているが、これに限定されず、断面は多角形状や、円弧部分及び直線部分を有する形状などであってもよい。
【００２９】
図３は、係止部材５０を示し、（ａ）は正面図、（ｂ）は（ａ）のＢ−Ｂ線に沿った断面図である。図３に示すように、係止部材５０は、略Ｕ字形板５１と係脱押釦５２とを有する。
【００３０】
略Ｕ字形板５１は、係止部５１ｃと係止凹部４２ｃとの係止及び係止の解除の際の作動体として機能する部材である。略Ｕ字形板５１は、一対の直線部５１ａ、５１ｂを有する。直線部５１ａ、５１ｂは、係脱押釦５２から−Ｙ方向に延びるように形成される。また、略Ｕ字形板５１は、Ｚ方向に延びかつ係止凹部２５に係脱可能な係止部５１ｃを有する。係止部５１ｃは、一対の直線部５１ａ、５１ｂの−Ｙ側の互いの端部を接続するように形成される。直線部５１ａ、５１ｂ及び係止部５１ｃは、断面が矩形状の棒状部材から形成される。
【００３１】
直線部５１ｂと係止部５１ｃとは、Ｌ字部５１ｄにおいて一体に形成される。Ｌ字部５１ｄは、直線部５１ａと係脱押釦５２とを接続しかつＹ方向及びＺ方向に延びるＬ字状に形成される。Ｌ字部５１ｄの折曲部分の内側には、切欠部分５１ｅが設けられている。このような切欠部分５１ｅを有することにより、Ｌ字部５１ｄが直線状の部材を折り曲げて作製される場合に、この折り曲げ加工を容易に行うことができる。
【００３２】
なお、略Ｕ字形板５１は上記した構成に限定されない。例えば、直線部５１ａ、５１ｂまたは係止部５１ｃの断面形状は、矩形状に代えて、円形状や、四角以外の多角形状などであってもよい。また、直線部５１ａ、５１ｂ及び係止部５１ｃは、一体として形成されてもよく、それぞれが異なる部材から形成されてもよい。また、係止部材５０において、切欠部分５１ｅは設けられなくてもよい。
【００３３】
係脱押釦５２は、Ｙ方向から見て円形状であり、かつ付勢部材６０を収容するために中空状に形成される。係脱押釦５２は、外側に向けて凸状の曲面部（＋Ｙ側の面）５２ａと曲面部５２ａの周囲から−Ｙ方向に延びる筒状部５２ｂとを有している。曲面部５２ａはクラスプ本体３０の＋Ｙ側の表面から外部に突出するように配置される。筒状部５２ｂは、ケース７０の凹部７２に収容可能に形成される。なお、係脱押釦５２は、上記した構成に限定されず、例えば、係脱押釦５２のＹ方向から見た形状は、円形状に限定されず、長円形状、楕円形状、多角形状などであってもよい。
【００３４】
付勢部材６０は、係止部５１ｃを常時係止凹部２５に係止する方向（Ｙ方向）に付勢する部材である。付勢部材６０は、係脱押釦５２に収容され、かつ後述する座部８０と係脱押釦５２との間に配設される。付勢部材６０としては、コイルバネが用いられるが、これに限定されない。
【００３５】
ケース７０は、受入れ部材４０、係止部材５０、及び付勢部材６０を収容する部材である。図４は、ケース７０を示し、（ａ）は平面図、（ｂ）は（ａ）のＣ−Ｃ線に沿った断面図である。図４に示すように、ケース７０は、挿入孔７１と凹部７２とを有する。ケース７０は、略球状の筐体である。なお、ケース７０は上記形状に限定されない。また、ケース７０は、表面に種々の装飾が施されてもよい。
【００３６】
挿入孔７１は、受け入れ部材４０が挿し込まれる部分である。挿入孔７１の口径の寸法は、例えば受け入れ部材４０の外径寸法に比べて若干大きく設定される。
【００３７】
凹部７２は、ケース７０の＋Ｙ側の表面に設けられ、−Ｙ方向に凹んで形成される。凹部７２は、係脱押釦５２が収容可能となっている。凹部７２の底面（−Ｙ側の面）には、座部８０が形成される。
【００３８】
座部８０は、ケース７０と一体に形成され、受入れ部材４０と係脱押釦５２との間に配置される（図１（ｂ）参照）。このように座部８０がケース７０と一体として形成されることにより、座部８０を形成するための部材をケース７０とは別に用意する必要がないので、クラスプ１０の部品点数の増加を回避でき、クラスプ１０の製造コストの上昇が抑制される。座部８０には、一端側が係脱押釦５２に収容された付勢部材６０の他端側の端部が当接する。そのため、付勢部材６０が座部８０の−Ｙ側に突出することが規制される。
【００３９】
座部８０は、ＸＺ平面に平行な平面状に形成される。また、座部８０は、開口部８１を有する。開口部８１は、座部８０を厚さ方向（Ｙ方向）に貫通して形成される。開口部８１は、係止部材５０が、係止する方向（Ｙ方向）に沿って摺動自在にかつ挿通可能に形成される。
【００４０】
開口部８１は、Ｚ方向に延びるように形成されかつＸ方向に沿って並列する一対の直線部分８１ａ、８１ｂを有する。直線部分８１ａは、係止部材５０の直線部５１ａ、５１ｂの＋Ｘ側の側面５１ｆが当接しながら略Ｕ字形板５１が摺動可能な構成となっている。また、直線部分８１ｂは、直線部５１ａ、５１ｂの−Ｘ側の側面５１ｇが当接しながら略Ｕ字形板５１が摺動可能な構成となっている。
【００４１】
このような開口部８１の構成により、係止部材５０は、係止する方向に移動する際に、側面５１ａ等が、開口部８１の直線部分８１ａ等に当接してガイドされるので、係止部材５０の移動方向（Ｘ方向）のブレが抑制される。これにより、係止部５１ｃの係脱をより確実に行うことができる。
【００４２】
なお、座部８０は、上記した構成に限定されない。座部８０は、表面が凹凸状に形成されてもよく、ＸＺ平面に対して傾斜して形成されてもよい。また、座部８０は、面状に形成されることに代えて、例えば、凹部７２の−Ｙ側の端部から内側へ向けて突出する突出片を備えた片状に形成されてもよい。これらの座部８０に関する事項は、後述する座部３８０、４８０において適用されてもよい。
【００４３】
また、開口部８１についても、上記構成に限定されない。例えば、直線部分８１ａ、８１ｂは、曲線部分を有する構成としてもよい。また、略Ｕ字形板５１の＋Ｘ側及び−Ｘ側の両側面５１ｆ、５１ｇが摺動可能となる構成に代えて、側面５１ｆ、５１ｇのいずれか一方のみが摺動可能に形成されてもよい。この場合、一対の直線部分８１ａ、８１ｂの一方は設けられなくてもよい。また、係止部材５０の直線部５１ａ、５１ｂの断面形状が、矩形状以外に形成される場合、開口部８１は、直線部５１ａ、５１ｂの断面の外縁と同一の形状としてもよい。また、開口部８１は、略Ｕ字形板５１の＋Ｘ側又は−Ｘ側の側面５１ａ、５１ｂが開口部８１の＋Ｘ側又は−Ｘ側の側面に対して摺動するように形成されてもよい。また、開口部８１に挿通された係止部材５０は、係止する方向に沿って開口部８１に対して摺動することに限定されず、係止部材５０と開口部８１とが互いに当接しないで移動する構成であってもよい。
【００４４】
ケース７０の＋Ｘ側の内壁面には、−Ｘ方向に突出する円環状の突起７４が設けられている。突起７４は、接着剤（不図示）の配置領域を囲むように形成される。これにより、接着の際に接着剤（不図示）が拡がることが防止される。なお、ケース７０にこのような突起７４を設けるか否かは任意である。
【００４５】
取り付け環９０は、ケース７０の基端側（＋Ｘ側）に配置される。取り付け環９０は、ケース７０を装飾部２に接続するための部材である。取り付け環９０は、円環状に形成され、かつケース７０の＋Ｘ側側面の中央部分に突設される。取り付け環９０には、例えば、装飾部２の端部と繋がれた円環部材４（図１２参照）が接続される。なお、取り付け環９０をクラスプ本体３０に設けるか否かは任意である。
【００４６】
次に、クラスプ１０の連結及び連結の解除の動作について、図５を用いて説明する。図５は、挿し込み部材２０とクラスプ本体３０とが連結された状態を示し、図１（ａ）のＤ−Ｄ線に相当する線に沿った断面図である。
【００４７】
挿し込み部材２０とクラスプ本体３０とを互いに連結させる際には、挿し込み部材２０をクラスプ本体３０に接近させ、挿し込み部材２０の先端部２１を、挿入口４３（図１参照）を介してクラスプ本体３０に挿入する。先端部２１は、先端側から基端側にかけて断面積が除々に大きくなるように形成されているため、スムーズに導入される。挿し込み部材２０は、外周面で係止部５１ｃを−Ｙ方向に押圧しながら＋Ｘ方向に移動し、係止凹部２５が係止部５１ｃに到達すると、図５に示すように、付勢部材６０の弾性力により係止部５１ｃが係止凹部２５に突出して係止され、連結が完了する。
【００４８】
また、連結を解除する場合には、クラスプ本体３０の表面から＋Ｙ方向に突出している係脱押釦５２を−Ｙ方向に押圧しながら、挿し込み部材２０を引き抜く方向（−Ｘ方向）に引っ張ることにより、係止部材５０の略Ｕ字形板５１が−Ｙ方向に押し下げられ、係止部５１ｃが係止凹部２５から離脱して、係止状態が解除される。この状態で、挿し込み部材２０をクラスプ本体３０から引き抜くことにより、互いの連結が解除される。
【００４９】
続いて、クラスプ１０の組立手順の一例について説明する。なお、挿し込み部材２０は一体として形成されるので、以下、クラスプ本体３０の組立手順について説明する。図６は、クラスプ本体３０の組立手順の一例を示す図である。まず、付勢部材６０が、係止部材５０に挿入される。その際、付勢部材６０は、図６（ａ）の矢印が示す方向に沿って、係脱押釦５２の内部に収容される。
【００５０】
次に、図６（ｂ）に示すように、係止部材５０及び付勢部材６０をケース７０の凹部７２に配置させ、係脱押釦５２を図６（ｂ）の矢印の方向（−Ｙ方向）に押圧しながら付勢部材６０を圧縮させる。これにより、係止部５１ｃが−Ｙ方向に押し下げられる。この状態で、図６（ｃ）に示すように、受入れ部材４０を接着部４１側から挿入孔７１を介してケース７０内部に挿入する。その際、圧縮された付勢部材６０は、−Ｙ側の端部が座部８０に当接し、座部８０の−Ｙ側に付勢部材６０が突出することが防止され、ケース７０の内部には、受入れ部材４０が挿入可能なスペースＳが形成される。そのため、受入れ部材４０をケース７０に挿入する際に付勢部材６０がじゃまとなることが回避されるので、クラスプ本体２０を容易かつ確実に組み立てることが可能となる。
【００５１】
係止部材５０の係止部５１ｃが付勢部材６０の弾性力により切欠４２ｃに嵌合し、受入れ部材４０内部に＋Ｙ方向に突出する。この状態で、受入れ部材４０はケース７０に収容され、クラスプ本体３０の組立が完了する。
【００５２】
このようなクラスプ１０によれば、ケース蓋とケース本体とが一体に形成されたケースが採用される場合であっても、容易かつ確実に組み立てることができる。
【００５３】
＜第２実施形態＞
続いて、第２実施形態について、図７〜図９を用いて説明する。図７は、本実施形態に係るクラスプ本体の一例を示す概略断面図である。なお、以下の説明においては、主として第１実施形態と異なる部分について説明し、第１実施形態と同一または同等の構成部分については同一符号を付けて説明を省略または簡略化する。図７に示すように、クラスプ本体２３０は、受け入れ部材２４０とケース２７０とを有している。
【００５４】
図８は、受け入れ部材２４０を示し、（ａ）は側面図、（ｂ）は正面図、（ｃ）は挿し込み部材２０が挿入された状態の側面図である。図８に示すように、受け入れ部材２４０は、＋Ｘ側から−Ｘ側にかけて、一対の片部２４１と、筒部２４２と、挿入口４３とを有する。
【００５５】
一対の片部２４１のそれぞれは、ケース２７０の内部において、Ｚ方向に並んで配置される。片部２４１は、筒部２４２の＋Ｘ側の端部から＋Ｘ方向に延設されて形成される。筒部２４２は、Ｘ方向を軸方向とする筒状に形成される。
【００５６】
このように、受け入れ部材２４０は、側壁部（Ｘ方向を軸方向とする筒状部分）の＋Ｙ側の部分の一部を切り欠いた形状となっており、切り欠き部２４１ａを有する。切り欠き部２４１ａは、片部２４１の＋Ｙ側の側面に形成されている。また、受け入れ部材２４０は、側壁部の−Ｙ側の部分の一部を切り欠いた形状となっており、当接部２４１ｂを有する。当接部２４１ｂは、片部２４１の−Ｙ側の側面に形成されている。当接部２４１ｂは、付勢部材６０の付勢力により係止部５１ｃと当接する部分である。
【００５７】
このような受け入れ部材２４０の構成によれば、受け入れ部材２４０に切欠き部２４１ａが設けられるので、図７に示すように、受け入れ部材２４０に対して座部８０がＹ方向から入り込んだ構成となっている。すなわち、Ｘ方向から見ると、筒部２４２に対して座部８０が入り込む構成となっている。よって、クラスプ本体に座部８０が設けられた場合であっても、クラスプ本体の外形がＹ方向に大きくなることが抑制されるので、外形デザインの自由度に制約が生じることを回避することができる。また、Ｚ方向に並んだ一対の片部２４１を、筒部２４２から軸方向（Ｘ方向）に延設するだけで、切欠き部２４１ａ及び当接部２４１ｂが容易に形成される。
【００５８】
図９は、ケース２７０を示し、（ａ）は平面図、（ｂ）は正面図である。ケース２７０は、受入れ部材２４０、係止部材５０、及び付勢部材６０を収容する部材である。図９に示すように、ケース２７０は、挿入孔７１と、凹部７２と、取り付け孔２９０とを有する。ケース２７０は、略楕円球状の筐体である。なお、ケース２７０は、略楕円球状に限定されず、同一機能を備えていれば球状や円柱状などであってもよい。取り付け孔２９０には、例えば、円環部材４が挿通され、この円環部材４に装飾部２が接続される。
【００５９】
挿入孔７１の内側（＋Ｘ側）には、一対の片部２４１が軸方向（Ｘ方向）に挿通可能な一対の挿通部２７４が形成される。一対の挿通部２７４のそれぞれは、Ｚ方向に並んで形成される。よって、一対の片部２４１のそれぞれを、ケース２７０の内部においてＺ方向に並んで配置させることができ、これにより切欠き部２４１ａ及び当接部２４１ｂが形成される。
【００６０】
＜第３実施形態＞
続いて、第３実施形態について、図１０を用いて説明する。図１０は、本実施形態のクラスプの一例を示し、（ａ）は概略断面図、（ｂ）は要部の斜視図である。なお、以下の説明においては、主として上記した実施形態と異なる部分について説明し、上記した実施形態と同一または同等の構成部分については同一符号を付けて説明を省略または簡略化する。図１０に示すように、クラスプ本体３３０は、ケース３７０と座部形成部材３８１とを有している。
【００６１】
ケース３７０は、表面（＋Ｙ側の面）にＹ方向に貫通する貫通孔３７２を有している。貫通孔３７２は、係脱押釦５２が入り込むように形成される。座部形成部材３８１は、ケース３７０に収容されており、座部３８０と支持部３８２とを有する。
【００６２】
座部３８０は、ＸＺ平面に対して平行な板状部材から形成され、開口部８１を備える。支持部３８２は、ケース３７０の内部において座部３８０を下方（−Ｙ側）から支持する部材である。支持部３８２は、ＸＹ平面に対して平行に配置された一対の立て板状に形成される。支持部３８２の＋Ｙ側の端部は、座部３８０の＋Ｚ側及び−Ｚ側の端部と接続されている。座部形成部材３８１は、貫通孔３７２を介してケース３７０に挿入される。なお、支持部３８２は、上記構成に限定されず、ＸＹ平面に対して傾斜してもよく、棒形状などであってもよい。
【００６３】
このように、ケース３７０と座部形成部材３８１とを組み合わせることにより、容易にクラスプ本体３３０の内部に座部３８０を形成することができる。
【００６４】
＜第４実施形態＞
続いて、第４実施形態について、図１１を用いて説明する。図１１は、本実施形態のクラスプの一例を示し、（ａ）は概略断面図、（ｂ）は要部の斜視図である。なお、以下の説明においては、主として上記した実施形態と異なる部分について説明し、上記した実施形態と同一または同等の構成部分については同一符号を付けて説明を省略または簡略化する。図１１に示すように、クラスプ本体４３０は、ケース４７０と座部形成部材４８１とを有している。
【００６５】
ケース４７０は、表面（＋Ｙ側の面）にＹ方向に貫通する貫通孔４７２を有している。貫通孔４７２は、係脱押釦５２及び座部形成部材４８１が入り込むように形成される。貫通孔４７２の内周面には、段状に形成された段部４７１が形成される。
【００６６】
座部形成部材４８１は、座部４８０、胴部４８２、及び鍔部４８３を有する。座部４８０は、ＸＺ平面に対して平行かつＹ方向から見て長円形状の板状部材から形成され、開口部８１を備える。胴部４８２は、座部４８０の周囲からＹ方向に延びる筒状に形成される。鍔部４８３は、胴部４８２の＋Ｙ側端部から外側に向けて突出して形成される。なお、座部形成部材４８１は、上記構成に限定されず、例えば、座部４８０のＹ方向から見た形状は、円形状や多角形状などであってもよい。
【００６７】
座部形成部材４８１は、貫通孔４７２に嵌め込まれる。段部４７１の＋Ｙ側の面と鍔部４８３の−Ｙ側の面とが当接し、段部４７１は鍔部４８３を下方（−Ｙ側）から支持する。これにより、座部形成部材４８１がケース４７０に支持され、座部４８０がケース４７０の内部に形成される。このように、ケース４７０と座部形成部材４８１とを組み合わせることにより、容易にクラスプ本体４３０の内部に座部４８０を形成することができる。
【００６８】
＜第５実施形態＞
続いて、第５実施形態について、図１２を用いて説明する。図１２は、本実施形態のアクセサリの一例を示す要部側面図である。なお、以下の説明においては、主として上記した実施形態と異なる部分について説明し、上記した実施形態と同一または同等の構成部分については同一符号を付けて説明を省略または簡略化する。図１２に示すように、アクセサリ１は、例えば円環状の装身具であり、クラスプ１０と、装飾部２と、円環部材３、４とを有している。
【００６９】
装飾部２は、複数の真珠が連接されて形成される。ただし、装飾部２は、上記構成に限定されず、例えばチェーンや紐状部材から構成されてもよい。円環部材３は、挿し込み部材２０の取り付け環２４に接続されている。円環部材４は、クラスプ本体３０の取り付け環９０に接続されている。クラスプ１０は、円環部材３、４を介して装飾部２に接続されている。
【００７０】
以上、本発明のクラスプ及びアクセサリについて説明したが、本発明は、上記した説明に限定されるものではなく、本発明の要旨を逸脱しない範囲において種々の変更が可能である。例えば、上記した実施形態の一部の構成を他の実施形態の構成と置き換えてもよく、上記した実施形態の構成を組み合わせてもよい。また、本発明のクラスプの用途は、装飾部２を接続するための接続手段に限定されるものではなく、代替的に、真珠やチェーンと、ペンダントヘッドとを接続するための接続手段に適用してもよい。この場合、予め種々のペンダントヘッドを用意して、ユーザのファッションや趣向に合ったペンダントヘッドを適宜選択して用いることが可能となる。また、本発明のクラスプの用途は主としてアクセサリであるが、この用途に限定されるものではない。例えば、本発明のクラスプは、携帯電話の本体とストラップとを接続するための接続手段として使用してもよい。また、本発明のクラスプは、挿し込み部材側及びクラスプ本体側において、それぞれ複数の挿し込み部材及び複数のクラスプ本体を一体に接合して、多連式のクラスプとしてもよい。
【符号の説明】
【００７１】
１…アクセサリ
１０…クラスプ
２０…挿し込み部材
２５…係止凹部
３０、２３０、３３０、４３０…クラスプ本体
４０、２４０…受入れ部材
４２…側壁部
５１ｃ…係止部
５２…係脱押釦
６０…付勢部材
７０、２７０、３７０…ケース
８０、３８０、４８０…座部
８１…開口部
２４１…片部
２４１ａ…切り欠き部
２４１ｂ…当接部
２４２…筒部
【図１】
2016035186.tif 000003
【図２】
2016035186.tif 000004
【図３】
2016035186.tif 000005
【図４】
2016035186.tif 000006
【図５】
2016035186.tif 000007
【図６】
2016035186.tif 000008
【図７】
2016035186.tif 000009
【図８】
2016035186.tif 000010
【図９】
2016035186.tif 000011
【図１０】
2016035186.tif 000012
【図１１】
2016035186.tif 000013
【図１２】
2016035186.tif 000014
【国際調査報告】
2016035186.tif 000015
2016035186.tif 000016